(57)【特許請求の範囲】
【請求項１】
部品のハードウェア構成情報を用いて起動制御を行う、複数の入力信号を多重化して対向側装置へ光信号として出力する多重化装置であって、
前記部品の実装情報又は部品情報と予め設定された構成情報とを比較判定し、一致した場合には通常の起動制御情報を出力し、一致しなかった場合には警報制御情報を出力する構成部品判定部を有し、
前記起動制御情報によって光出力制御を有効動作とし、前記警報制御情報によって光出力制御を無効動作とし、
前記部品の実装情報又は部品情報と前記予め設定された構成情報とを比較した際に、前記部品の実装情報が未登録であった場合には、構成情報の変更を指示する、多重化装置。
【請求項２】
前記部品の実装情報が未登録であり、かつ種別や能力の基準を満たす部品である場合には、構成情報を変更する、請求項１に記載の多重化装置。
【請求項３】
構成情報を変更した後に、部品の実装情報又は部品情報と予め設定された構成情報とを改めて比較判定する、請求項２に記載の多重化装置。
【請求項４】
前記構成部品判定部は可変構成部品判定部であり、前記部品の実装情報と予め設定された可変構成情報とを比較判定する、請求項１乃至請求項３のいずれか一項に記載の多重化装置。
【請求項５】
前記構成部品判定部は適応構成部品判定部であり、前記部品の部品情報と予め設定された適応構成情報とを比較判定する、請求項１乃至請求項３のいずれか一項に記載の多重化装置。
【請求項６】
部品のハードウェア構成情報を用いて起動制御を行う、複数の入力信号を多重化して対向側装置へ光信号として出力する多重化装置の起動方法であって、
前記部品の実装情報又は部品情報と予め設定された構成情報とを比較判定し、一致した場合には通常の起動制御情報を出力し、一致しなかった場合には警報制御情報を出力し、
前記起動制御情報によって光出力制御を有効動作とし、前記警報制御情報によって光出力制御を無効動作とし、
前記部品の実装情報又は部品情報と前記予め設定された構成情報とを比較した際に、前記部品の実装情報が未登録であった場合には、構成情報の変更を指示する、多重化装置の起動方法。
【請求項７】
前記部品の実装情報が未登録であり、かつ種別や能力の基準を満たす部品である場合には、構成情報を変更する、請求項６に記載の多重化装置の起動方法。
【請求項８】
構成情報を変更した後に、部品の実装情報又は部品情報と予め設定された構成情報とを改めて比較判定する、請求項７に記載の多重化装置の起動方法。
【請求項９】
前記部品の実装情報又は部品情報と予め設定された構成情報との比較判定は、前記部品の実装情報と予め設定された可変構成情報とを比較判定するものである、請求項６乃至請求項８のいずれか一項に記載の多重化装置の起動方法。
【請求項１０】
前記部品の実装情報又は部品情報と予め設定された構成情報との比較判定は、前記部品の部品情報と予め設定された適応構成情報とを比較判定するものである、請求項６乃至請求項８のいずれか一項に記載の多重化装置の起動方法。
【発明の詳細な説明】
【技術分野】
【０００１】
本発明は、多重化装置、及び多重化装置の起動方法に関し、特に多重化装置のハードウェア起動方法に関する。
【背景技術】
【０００２】
背景技術の多重化装置のハードウェア起動方法は、予め登録済みの主要部品構成で固定的に実現されていた。図１２は、背景技術の多重化装置のハードウェア起動方法の一例を示すブロック図である。
【０００３】
図１２に示す多重化装置の起動制御系において、ＴＲＩＢ部品１〜Ｎ（図番６１〜６３：以下省略）のＴＲＩＢ実装情報１〜Ｎと、多重化復号化部品６４の多重化復号化実装情報と、ＬＩＮＥ部品６５のＬＩＮＥ実装情報が、固定構成部品判定部６７に供給される。固定構成情報部６６に予め設定されていた固定構成情報が、固定構成部品判定部６７に供給される。固定構成部品判定部６７は、主要部品の実装情報と固定構成情報とを比較判定し、各部品警報制御情報を警報通知部６８に供給し、各部品起動制御情報を起動制御部６９に供給する。
【０００４】
起動制御部６９は、装置起動制御信号を電源制御部７０に供給する。電源制御部７０では、装置起動制御信号により、多重化装置の起動制御として、部品誤実装の場合、多重化装置の電源を停止（電源断）とする。また、監視装置７１は各部品警報信号と各部品起動信号を受けて、多重化装置起動時の各部品の警報状態、起動状態を監視する。
【０００５】
図１３は、図１２の固定構成部品判定部６７の詳細構成を示すブロック図である。図１３に示す固定構成部品判定部６７の詳細においては、各部品の固定構成情報が固定構成情報部６６で予め登録済みである。ＴＲＩＢ部品１〜ＮからのＴＲＩＢ実装情報１〜ＮがＴＲＩＢ部品１〜Ｎ判定部８１〜８３に供給され、固定構成情報部からのＴＲＩＢ固定構成情報１〜Ｎと比較判定され、ＴＲＩＢ判定情報１〜Ｎとして固定構成部品制御部８６に供給される。
【０００６】
同様に、多重化復号化部品からの多重化復号化実装情報が多重化復号化判定部８４に供給され、固定構成情報部からの多重化復号化固定構成情報と比較判定され、多重化復号化判定情報として固定構成部品制御部８６に供給される。
【０００７】
また、ＬＩＮＥ部品からのＬＩＮＥ実装情報がＬＩＮＥ部品判定部８５に供給され、固定構成情報部からのＬＩＮＥ固定構成情報と比較判定され、ＬＩＮＥ判定情報として固定構成部品制御部８６に供給される。これら各部品の判定情報が固定構成部品制御部８６に供給され、固定構成部品制御部８６では、各各部品警報制御情報が警報通知部６８に供給され、各部品起動制御情報が起動制御部６９に供給される。
【０００８】
背景技術の多重化装置のハードウェア起動方法によれば、固定構成情報部６６や固定構成部品判定部６７により予め登録済みの主要部品構成であるか判定して、部品誤実装の場合には、多重化装置の電源を停止としている。また、背景技術の多重化装置のハードウェア起動方法によれば、多重化装置起動時の各部品の警報状態、起動状態を監視している。
【０００９】
特許文献１は周辺装置の資源状態情報を有する情報処理システムに関するものであり、周辺装置内部に装置種別番号を設定し、システムの立上げ時に読み取って前回立上げ時に読み取ったシステム資源状態テーブルの構成と比較することが記載されている。特許文献１では、両者に相違がある場合には、立上げ動作を停止してオペレータ介入を要求し、容認された場合には今回読み取った構成でシステム資源状態テーブルを置換して、立上げ動作を続行することが提案されている。
【００１０】
特許文献２は、本体装置側の性能に合わせて、通信制御装置側の構成を動的に調整する通信制御装置の構成制御方法に関するものである。特許文献２では、通信制御装置側のハードウェア構成を、分担する必要のある通信制御層の数に対応して、動的に変更することが提案されている。
【先行技術文献】
【特許文献】
【００１１】
【特許文献１】特開平７−９３１３９号公報
【特許文献２】特開平７−６４８８３号公報
【発明の概要】
【発明が解決しようとする課題】
【００１２】
しかし、この背景技術の多重化装置のハードウェア起動方法は、次のような課題があった。
【００１３】
第１の課題は、予め登録済みの主要部品構成による固定的な起動制御となるため、部品の原価低減や生産中止による置き換えが発生した場合、その都度、固定構成情報部６６や固定構成部品判定部６７を変更しなければならないことである。固定構成情報部６６や固定構成部品判定部６７を変更する場合、変更対象が増加すると対応すべき組み合わせの数も増加してしまう。
【００１４】
第２の課題は、多重化装置の主要部品が予め登録済みの部品と異なっていた場合、多重化装置の電源を停止させてしまうことである。多重化装置の電源を停止させてしまうため、該当部品を登録済みの部品と交換後、再起動する手順が必要であった。
【００１５】
本発明の主な目的は、以上のような課題を解決する、多重化装置、及び多重化装置の起動方法を提供することにある。
【課題を解決するための手段】
【００１６】
前記目的を達成するため、本発明に係る多重化装置は、主要部品のハードウェア構成情報を用いて起動制御を行う多重化装置であって、
上記主要部品の実装情報又は部品情報と予め設定された構成情報とを比較判定し、一致した場合には通常の起動制御情報を出力し、一致しなかった場合には警報制御情報を出力する構成部品判定部を有し、
上記主要部品の実装情報又は部品情報と上記予め設定された構成情報とを比較した結果、上記主要部品の実装情報が未登録であった場合には、構成情報の変更を指示する。
【００１７】
本発明に係る多重化装置の起動方法は、主要部品のハードウェア構成情報を用いて起動制御を行う多重化装置の起動方法であって、
上記主要部品の実装情報又は部品情報と予め設定された構成情報とを比較判定し、一致した場合には通常の起動制御情報を出力し、一致しなかった場合には警報制御情報を出力し、
上記主要部品の実装情報又は部品情報と上記予め設定された構成情報とを比較した結果、上記主要部品の実装情報が未登録であった場合には、構成情報の変更を指示する。
【発明の効果】
【００１８】
本発明は、様々な組み合わせのハードウェア構成に対して、柔軟な起動制御が可能となる。
【図面の簡単な説明】
【００１９】
【図１】本発明の最上位概念の実施形態による多重化装置を説明するためのブロック図である。
【図２】本発明の第１実施形態による多重化装置を説明するためのブロック図である。
【図３Ａ】図２の主信号系の詳細構成を示すブロック図である。
【図３Ｂ】図２の起動制御系の詳細構成を示すブロック図である。
【図４】図３Ｂの可変構成部品判定部９の詳細構成を示すブロック図である。
【図５】本発明の第１実施形態による可変構成情報制御を説明するためのフローチャートである。
【図６】本発明の第１実施形態による可変ハードウェア起動制御を説明するためのフローチャートである。
【図７】本発明の第２実施形態による多重化装置を説明するためのブロック図である。
【図８Ａ】図７の主信号系の詳細構成を示すブロック図である。
【図８Ｂ】図７の起動制御系の詳細構成を示すブロック図である。
【図９】図８Ｂの適応構成部品判定部２９の詳細構成を示すブロック図である。
【図１０】本発明の第２実施形態による適応構成情報制御を説明するためのフローチャートである。
【図１１】本発明の第２実施形態による適応ハードウェア起動制御を説明するためのフローチャートである。
【図１２】背景技術の多重化装置を説明するためのブロック図である。
【図１３】図１２の固定構成部品判定部６７の詳細構成を示すブロック図である。
【図１４】背景技術のハードウェア起動制御を説明するためのフローチャートである。
【発明を実施するための形態】
【００２０】
本発明の好ましい実施形態について、図面を参照しながら詳細に説明する。図１は、本発明の最上位概念の実施形態による多重化装置を説明するためのブロック図である。
【００２１】
図１に示すように、本発明の最上位概念による実施形態の多重化装置は、主信号系４１と、起動制御系４２とを、含んで構成される。本実施形態に係る多重化装置は、主要部品のハードウェア構成情報を用いて起動制御を行う多重化装置である。本実施形態の多重化装置は、部品４３の実装情報又は部品情報と予め設定された構成情報とを比較判定し、一致した場合には通常の起動制御情報を出力し、一致しなかった場合には警報制御情報を出力する構成部品判定部４４を有するものである。
【００２２】
本発明の最上位概念による実施形態の多重化装置によれば、構成部品判定部４４が部品４３の実装情報又は部品情報と予め設定された構成情報とを比較判定し、一致した場合には通常の起動制御情報を出力し、一致しなかった場合には警報制御情報を出力する。これにより、主要部品の起動時の動作が制御可能となり、多重化装置の起動制御を実施することが可能となる。以下、本発明の実施形態についてより詳細に説明する。
【００２３】
〔第１実施形態〕
初めに、本発明の第１実施形態による多重化装置、及び多重化装置の起動方法について、説明する。図２は、本発明の第１実施形態による多重化装置を説明するためのブロック図である。図３Ａは、図２の主信号系の詳細構成を示すブロック図である。図３Ｂは、図２の起動制御系の詳細構成を示すブロック図である。図４は、図３Ｂの可変構成部品判定部９の詳細構成を示すブロック図である。図５は、本発明の第１実施形態による可変構成情報制御を説明するためのフローチャートである。図６は、本発明の第１実施形態による可変ハードウェア起動制御を説明するためのフローチャートである。
【００２４】
（第１実施形態の構成）
図２を参照すると、本発明の第１実施形態としての多重化装置における主信号系１と起動制御系２の構成が示されている。本多重化装置の主信号系１は図３Ａに示すように、主要部品である、ＴＲＩＢ部品１〜Ｎ（３１、３２〜３Ｎ）と、多重化復号化部品４と、ＬＩＮＥ部品５とを、含んで構成される。多重化復号化部品４は、多重化処理部４ａと、復号化処理部４ｂとを、含む。
【００２５】
図３Ａに示すように、入力信号１〜ＮがＴＲＩＢ部品１〜Ｎに供給され、送信側ＴＲＩＢ信号１〜Ｎにインタフェース変換（O/E変換：Optical/Electrical変換）される。変換された送信側ＴＲＩＢ信号１〜Ｎは、多重化復号化部品４の多重化処理部４ａに供給される。多重化処理部４ａでは、送信側ＴＲＩＢ信号１〜Ｎが多重化され、ＬＩＮＥ多重化出力信号としてＬＩＮＥ部品５に供給される。
【００２６】
ＬＩＮＥ部品５は、多重化された出力信号をインタフェース変換（E/O変換：Electrical/Optical変換）し、ＬＩＮＥ出力信号として対向側装置へ供給される。対向側装置からのＬＩＮＥ入力信号が、ＬＩＮＥ部品５に供給され、ＬＩＮＥ多重化入力信号にインタフェース変換（O/E変換：Optical/Electrical変換）される。
【００２７】
変換されたＬＩＮＥ多重化入力信号は、多重化復号化部品４の復号化処理部４ｂに供給される。復号化処理部４ｂでは、ＬＩＮＥ多重化入力信号が復号化され、受信側ＴＲＩＢ信号１〜ＮがＴＲＩＢ部品１〜Ｎ（３１、３２〜３Ｎ）に供給される。ＴＲＩＢ部品１〜Ｎ（３１、３２〜３Ｎ）では、インタフェース変換（E/O変換：Electrical/Optical変換）され、ＴＲＩＢ出力信号１〜Ｎとして出力される。
【００２８】
一方、本多重化装置の起動制御系２は図３Ｂに示すように、マイクロプロセッサ７と、可変構成情報部８と、可変構成部品判定部９と、動作制御部１０と、警報通知部１１と、起動制御部１２とを、含んで構成される。
【００２９】
図３Ｂに示すように、ＴＲＩＢ部品１〜ＮのＴＲＩＢ実装情報１〜Ｎと、多重化復号化部品４の多重化復号化実装情報と、ＬＩＮＥ部品５のＬＩＮＥ実装情報とが、可変構成部品判定部９に供給される。さらに、可変構成情報部８に予め設定されていた可変構成情報が、可変構成部品判定部９に供給される。
【００３０】
可変構成部品判定部９は、主要部品の実装情報と可変構成情報とを比較判定し、各部品動作制御情報を動作制御部１０に供給し、各部品警報制御情報を警報通知部１１に供給し、各部品起動制御情報を起動制御部１２に供給する。
【００３１】
動作制御部１０は、ＴＲＩＢ制御情報１〜ＮをＴＲＩＢ部品１〜Ｎに供給し、多重化復号化制御情報を多重化復号化部品４に供給し、ＬＩＮＥ制御情報をＬＩＮＥ部品５に供給する。
【００３２】
警報通知部１１は、起動時の警報制御情報を監視装置１３に供給する。
【００３３】
起動制御部１２は、装置起動制御信号をマイクロプロセッサ７に供給する。マイクロプロセッサ７は、装置起動制御信号により、多重化装置の起動制御を行う。また、マイクロプロセッサ７は、必要に応じて制御端末６により構成情報を変更することが可能である。マイクロプロセッサ７は、可変構成情報設定信号を可変構成情報部８へ供給する。
【００３４】
監視装置１３は、各部品制御信号と、各部品警報信号と、各部品起動信号を受けて、多重化装置起動時の装置起動状態、各部品の制御状態、警報状態を監視する。
【００３５】
図４を参照すると、本発明の第１実施形態の可変構成部品判定部９の詳細が示されている。可変構成部品判定部９では、予めマイクロプロセッサ７から設定された各部品の可変構成情報が可変構成情報部８で保持される。
【００３６】
ＴＲＩＢ部品１〜ＮからのＴＲＩＢ実装情報１〜ＮがＴＲＩＢ部品１〜Ｎ判定部１５１、１５２〜１５Ｎに供給され、可変構成情報部８からのＴＲＩＢ可変構成情報１〜Ｎと比較判定され、ＴＲＩＢ判定情報１〜Ｎとして、可変構成部品制御部１８に供給される。
【００３７】
同様に、多重化復号化部品４からの多重化復号化実装情報が多重化復号化部品判定部１６に供給され、可変構成情報部８からの多重化復号化可変構成情報と比較判定され、多重化復号化判定情報として、可変構成部品制御部１８に供給される。
【００３８】
また、ＬＩＮＥ部品５からのＬＩＮＥ実装情報がＬＩＮＥ部品判定部１７に供給され、可変構成情報部８からのＬＩＮＥ可変構成情報と比較判定され、ＬＩＮＥ判定情報として、可変構成部品制御部１８に供給される。
【００３９】
これら各部品の判定情報が可変構成部品制御部１８に供給され、可変構成部品制御部１８では、各部品動作制御情報が動作制御部１０に供給され、各部品警報制御情報が警報通知部１１に供給され、各部品起動制御情報が起動制御部１２に供給される。
【００４０】
（第１実施形態の動作）
本実施例の動作について説明する。ハードウェア起動制御動作について、図２の多重化装置における起動制御系、図４の可変構成部品判定部（詳細）、図５の可変構成情報制御フローチャート、及び図４の可変ハードウェア起動制御フローチャートを用いて、説明する。
【００４１】
図３Ａ及び図３Ｂを参照すると、主信号系１のＴＲＩＢ部品１〜Ｎ（３１〜３Ｎ）、多重化復号化部品４、及びＬＩＮＥ部品５が主要部品である。各部品の実装情報が起動制御系２に供給され、ハードウェア起動制御、各部品の動作制御、各部品の警報通知を実現する。具体的には、ＴＲＩＢ部品１〜ＮのＴＲＩＢ実装情報１〜Ｎ、多重化復号化部品４の多重化復号化実装情報、及びＬＩＮＥ部品５のＬＩＮＥ実装情報が、可変構成部品判定部９に供給される。
【００４２】
図５の可変構成情報制御フローチャートを参照すると、図３Ｂのマイクロプロセッサ７から、予め可変構成情報が図３Ｂの可変構成情報部８に設定される（ステップＳ０２）。次に、可変構成情報部８に設定された可変構成情報を、マイクロプロセッサ７が読み出す（ステップＳ０３）。次に、可変構成情報が正しく設定されたかどうかをマイクロプロセッサ７で判定する（ステップＳ０４）。可変構成情報が正しく設定されていれば、図５のフローチャートを終了し、可変構成情報が正しく設定されていなければ、ステップＳ０２で、再度、可変構成情報の設定を行う（リトライ処理）。
【００４３】
図４は、可変構成部品判定部９の詳細構成の一例を示す。図４の可変構成部品判定部９を参照すると、多重化装置の主要部品であるＴＲＩＢ部品１〜Ｎと多重化復号化部品とＬＩＮＥ部品の実装情報が、それぞれＴＲＩＢ部品判定部１５１〜１５Ｎ、多重化復号化部品判定部１６、ＬＩＮＥ部品判定部１７に供給される。ＴＲＩＢ部品１〜Ｎ判定部１５１〜１５Ｎは、ＴＲＩＢ実装情報１〜ＮとＴＲＩＢ可変構成情報１〜Ｎとを比較判定し、ＴＲＩＢ判定情報１〜Ｎを可変構成部品制御部１８に供給する。多重化復号化部品判定部１６は、多重化復号化実装情報と多重化復号化可変構成情報とを比較判定し、多重化復号化判定情報を可変構成部品制御部１８に供給する。ＬＩＮＥ部品判定部１７は、ＬＩＮＥ実装情報とＬＩＮＥ可変構成情報とを比較判定し、ＬＩＮＥ判定情報を可変構成部品制御部１８に供給する。可変構成部品制御部１８では、各部品の判定情報により、各部品動作制御情報、各部品警報制御情報及び各部品起動制御情報を生成する。
【００４４】
図３Ｂを参照すると、可変構成部品判定部９からの各部品動作制御信号が動作制御部１０に供給される。動作制御部１０は、ＴＲＩＢ部品１〜Ｎ（３１〜３Ｎ）と多重化復号化部品４とＬＩＮＥ部品５に起動時の動作制御情報１〜Ｎを供給する。さらに動作制御部１０は、各部品制御信号を監視装置１３に供給する。警報通知部１１は、起動時の警報制御情報を監視装置１３に供給する。起動制御部１２は、装置起動制御信号をマイクロプロセッサ７に供給し、各部品起動信号を監視装置１３に供給する。
【００４５】
マイクロプロセッサ７は、装置起動制御信号により、多重化装置の起動制御を行う。また、マイクロプロセッサ７は、必要に応じて制御端末６により構成情報を変更することが可能であり、可変構成情報設定信号を可変構成情報部８へ供給する。
【００４６】
図６の可変ハードウェア起動制御フローチャートを参照すると、図１の多重化装置の電源が投入される（ステップＳ１２）。次に、予めマイクロプロセッサ７で設定されていた図３Ｂの可変構成情報部８からの可変部品情報が収集される（ステップＳ１３）。
【００４７】
次に、多重化装置の主要部品である図３ＡのＴＲＩＢ部品１〜Ｎ（３１〜３Ｎ）と多重化復号化部品４とＬＩＮＥ部品５の実装情報が、図４の可変構成部品判定部９で比較判定される（ステップＳ１４）。多重化装置の各主要部品の実装情報が可変部品情報判定の結果、予め設定されていた可変部品情報と一致した場合、ステップＳ１５に遷移する。多重化装置の各主要部品の実装情報が可変部品情報判定の結果、予め設定されていた可変部品情報と一致しなかった場合、ステップＳ１６に遷移する。
【００４８】
部品の実装情報と可変部品情報が一致した場合、図３Ｂの動作制御部１０により、各部品に対して正常動作制御が実行される（ステップＳ１５）。図３Ｂの動作制御部１０の正常動作制御は、ＴＲＩＢ部品、多重化復号化部品、ＬＩＮＥ部品に対して、光出力制御が有効動作となり、図２の監視装置１３に対して、各部品の光出力制御信号（有効状態）が通知され、各部品の制御信号（有効状態）が通知される。
【００４９】
一方、部品の実装情報と可変部品情報が一致しなかった場合、図３Ｂの警報通知部１１により、図２の監視装置１３に対して、各部品の誤実装警報が通知される（ステップＳ１６）。次に、図３Ｂの動作制御部１０から異常動作制御として、ＴＲＩＢ部品、多重化復号化部品、ＬＩＮＥ部品に対して、光出力制御が無効動作となり、図２の監視装置１３に対して、各部品の光出力制御信号（無効状態）が通知される（ステップＳ１７）。次に、図３Ｂの起動制御部１２により図３Ｂのマイクロプロセッサ７に対して、多重化装置の起動停止制御が実行され、図２の監視装置１３に対して、各部品の起動信号が通知される（ステップＳ１８）。
【００５０】
（第１実施形態の効果）
以上説明したように本実施形態の多重化装置、及び多重化装置の起動方法では、多重化装置の主要部品の実装情報と予め設定しておいた構成情報を可変構成部品判定部で比較判定することにより、背景技術では困難であった柔軟な起動制御が可能となる。これにより、起動時のＴＲＩＢ出力側、ＬＩＮＥ出力側の動作を制御することが可能となるという効果を有する。
【００５１】
〔第２実施形態〕
次に、本発明の第２実施形態による多重化装置、及び多重化装置の起動方法について、図面を参照しながら説明する。図７は、本発明の第２実施形態による多重化装置を説明するためのブロック図である。図８Ａは、図７の主信号系の詳細構成を示すブロック図である。図８Ｂは、図７の起動制御系の詳細構成を示すブロック図である。図９は、図８Ｂの適応構成部品判定部２９の詳細構成を示すブロック図である。図１０は、本発明の第２実施形態による適応構成情報制御を説明するためのフローチャートである。図１１は、本発明の第２実施形態による適応ハードウェア起動制御を説明するためのフローチャートである。本実施形態は、部品動作条件に基づく構成情報の適応制御を行うものである。
【００５２】
（第２実施形態の構成）
図７を参照すると、本発明の第２実施形態の多重化装置の主信号系２１と起動制御系２２の構成が示されている。本多重化装置の主信号系２１は図８Ａに示すように、主要部品である、ＴＲＩＢ部品１〜Ｎ（２３１、２３２〜２３Ｎ）と、多重化復号化部品２４と、ＬＩＮＥ部品２５とを、含んで構成される。多重化復号化部品２４は、多重化処理部２４ａと、復号化処理部２４ｂとを、含む。
【００５３】
図８Ａに示すように、入力信号１〜ＮがＴＲＩＢ部品１〜Ｎに供給され、送信側ＴＲＩＢ信号１〜Ｎにインタフェース変換（O/E変換：Optical/Electrical変換）される。変換された送信側ＴＲＩＢ信号１〜Ｎは、多重化復号化部品２４の多重化処理部４ａに供給される。多重化処理部４ａでは、送信側ＴＲＩＢ信号１〜Ｎが多重化され、ＬＩＮＥ多重化出力信号としてＬＩＮＥ部品２５に供給される。
【００５４】
ＬＩＮＥ部品２５は、多重化された出力信号をインタフェース変換（E/O変換：Electrical/Optical変換）し、ＬＩＮＥ出力信号として対向側装置へ供給される。対向側装置からのＬＩＮＥ入力信号が、ＬＩＮＥ部品２５に供給され、ＬＩＮＥ多重化入力信号にインタフェース変換（O/E変換：Optical/Electrical変換）される。
【００５５】
変換されたＬＩＮＥ多重化入力信号は、多重化復号化部品２４の復号化処理部２４ｂに供給される。復号化処理部２４ｂでは、ＬＩＮＥ多重化入力信号が復号化され、受信側ＴＲＩＢ信号１〜ＮがＴＲＩＢ部品１〜Ｎ（２３１、２３２〜２３Ｎ）に供給される。ＴＲＩＢ部品１〜Ｎ（２３１、２３２〜２３Ｎ）では、インタフェース変換（E/O変換：Electrical/Optical変換）され、ＴＲＩＢ出力信号１〜Ｎとして出力される。
【００５６】
一方、本多重化装置の起動制御系２２は図８Ｂに示すように、マイクロプロセッサ２７と、適応構成情報部２８と、適応構成部品判定部２９と、動作制御部３０と、警報通知部３１と、起動制御部３２とを、含んで構成される。
【００５７】
図８Ｂに示すように、ＴＲＩＢ部品１〜Ｎ（２３１、２３２〜２３Ｎ）のＴＲＩＢ部品情報１〜Ｎと、多重化復号化部品２４の多重化復号化部品情報と、ＬＩＮＥ部品２５のＬＩＮＥ部品情報とが、適応構成部品判定部２９に供給される。さらに、適応構成情報部２８に予め設定されていた適応構成情報が、適応構成部品判定部２９に供給される。
【００５８】
適応構成部品判定部２９は、主要部品の部品情報と適応構成情報とを比較判定し、各部品動作制御情報を動作制御部３０に供給し、各部品警報制御情報を警報通知部３１に供給し、各部品起動制御情報を起動制御部３２に供給する。
【００５９】
動作制御部３０は、ＴＲＩＢ制御情報１〜ＮをＴＲＩＢ部品１〜Ｎ（２３１、２３２〜２３Ｎ）に供給し、多重化復号化制御情報を多重化復号化部品２４に供給し、ＬＩＮＥ制御情報をＬＩＮＥ部品２５に供給する。
【００６０】
警報通知部３１は、起動時の警報制御情報を監視装置３３に供給する。
【００６１】
起動制御部３２は、装置起動制御信号をマイクロプロセッサ２７に供給する。マイクロプロセッサ２７は、装置起動制御信号により、多重化装置の起動制御を行う。また、マイクロプロセッサ２７は、必要に応じて制御端末２６により構成情報を変更することが可能である。マイクロプロセッサ２７は、適応構成情報設定信号を適応構成情報部２８へ供給する。
【００６２】
監視装置３３は、各部品制御信号と、各部品警報信号と、各部品起動信号を受けて、多重化装置起動時の装置起動状態、各部品の制御状態、警報状態を監視する。
【００６３】
図９を参照すると、本発明の第２実施形態の適応構成部品判定部２９の詳細が示されている。適応構成部品判定部２９では、予めマイクロプロセッサ２７から設定された各部品の適応構成情報が適応構成情報部２８で保持される。
【００６４】
ＴＲＩＢ部品１〜Ｎ（２３１、２３２〜２３Ｎ）からのＴＲＩＢ部品情報１〜ＮがＴＲＩＢ部品１〜Ｎ判定部３５１、３５２〜３５Ｎに供給され、適応構成情報部２８からのＴＲＩＢ適応構成情報１〜Ｎと比較判定される。比較判定の結果がＴＲＩＢ判定情報１〜Ｎとして、適応構成部品制御部３８に供給される。
【００６５】
同様に、多重化復号化部品２４からの多重化復号化部品情報が多重化復号化部品判定部３６に供給され、適応構成情報部２８からの多重化復号化適応構成情報と比較判定され、多重化復号化判定情報として、適応構成部品制御部３８に供給される。
【００６６】
また、ＬＩＮＥ部品２５からのＬＩＮＥ部品情報がＬＩＮＥ部品判定部３７に供給され、適応構成情報部２８からのＬＩＮＥ適応構成情報と比較判定され、ＬＩＮＥ判定情報として、適応構成部品制御部３８に供給される。
【００６７】
これら各部品の判定情報が適応構成部品制御部３８に供給され、適応構成部品制御部３８では、各部品動作制御情報が動作制御部３０に供給され、各部品警報制御情報が警報通知部３１に供給され、各部品起動制御情報が起動制御部３２に供給される。
【００６８】
（第２実施形態の動作）
本実施例の動作について説明する。ハードウェア起動制御動作について、図７の多重化装置における起動制御系、図９の適応構成部品判定部（詳細）、図１０の適応構成情報制御フローチャート、及び図１１の適応ハードウェア起動制御フローチャートを用いて、説明する。
【００６９】
図８Ａ及び図８Ｂを参照すると、主信号系２１のＴＲＩＢ部品１〜Ｎ（２３１〜２３Ｎ）、多重化復号化部品２４、及びＬＩＮＥ部品２５が主要部品である。各部品の部品情報が起動制御系２２に供給され、ハードウェア起動制御、各部品の動作制御、各部品の警報通知を実現する。具体的には、ＴＲＩＢ部品１〜Ｎ（２３１〜２３Ｎ）のＴＲＩＢ部品情報１〜Ｎ、多重化復号化部品２４の多重化復号化部品情報、及びＬＩＮＥ部品２５のＬＩＮＥ部品情報が、適応構成部品判定部２９に供給される。
【００７０】
図１０の適応構成情報制御フローチャートを参照すると、図８Ｂのマイクロプロセッサ２７から、予め適応構成情報が図８Ｂの適応構成情報部２８に設定される（ステップＳ２２）。次に、適応構成情報部２８に設定された適応構成情報を、マイクロプロセッサ２７が読み出す（ステップＳ２３）。次に、適応構成情報が正しく設定されたかどうかをマイクロプロセッサ２７で判定する（ステップＳ２４）。適応構成情報が正しく設定されていれば、図１０のフローチャートを終了し、適応構成情報が正しく設定されていなければ、ステップＳ２２で、再度、適応構成情報の設定を行う（リトライ処理）。
【００７１】
図９は適応構成部品判定部２９の詳細構成の一例を示す。図９を参照すると、多重化装置の主要部品であるＴＲＩＢ部品１〜Ｎと多重化復号化部品とＬＩＮＥ部品の部品情報が、それぞれＴＲＩＢ部品判定部３５１、３５２〜３５Ｎ、多重化復号化部品判定部３６、ＬＩＮＥ部品判定部３７に供給される。ＴＲＩＢ部品１〜Ｎ判定部３５１〜３５Ｎは、ＴＲＩＢ部品情報１〜ＮとＴＲＩＢ適応構成情報１〜Ｎとを比較判定し、ＴＲＩＢ判定情報１〜Ｎを適応構成部品制御部３８に供給する。多重化復号化部品判定部３６は、多重化復号化部品情報と多重化復号化適応構成情報とを比較判定し、多重化復号化判定情報を適応構成部品制御部３８に供給する。ＬＩＮＥ部品判定部３７は、ＬＩＮＥ部品情報とＬＩＮＥ適応構成情報とを比較判定し、ＬＩＮＥ判定情報を適応構成部品制御部３８に供給する。適応構成部品制御部３８では、各部品の判定情報により、各部品動作制御情報、各部品警報制御情報及び各部品起動制御情報を生成する。
【００７２】
図８Ｂを参照すると、適応構成部品判定部２９からの各部品動作制御信号が動作制御部３０に供給される。動作制御部３０は、ＴＲＩＢ部品１〜Ｎ（２３１〜２３Ｎ）と多重化復号化部品２４とＬＩＮＥ部品２５に起動時の動作制御情報１〜Ｎを供給する。さらに動作制御部３０は、各部品制御信号を監視装置３３に供給する。警報通知部３１は、起動時の警報制御情報を監視装置３３に供給する。起動制御部３２は、装置起動制御信号をマイクロプロセッサ２７に供給し、各部品起動信号を監視装置３３に供給する。
【００７３】
マイクロプロセッサ２７は、装置起動制御信号により、多重化装置の起動制御を行う。また、マイクロプロセッサ２７は、必要に応じて制御端末２６により構成情報を変更することが可能であり、適応構成情報設定信号を適応構成情報部２８へ供給する。
【００７４】
図１１の適応ハードウェア起動制御フローチャートを参照すると、図７の多重化装置の電源が投入される（ステップＳ３２）。次に、予めマイクロプロセッサ２７で設定されていた図８Ｂの適応構成情報部２８からの適応構成情報が収集される（ステップＳ３３）。
【００７５】
次に、本実施形態では、それぞれの部品の種別や能力などの適応部品情報が収集される（ステップＳ３４）。この適応部品情報が適応構成部品判定部２９に供給される。
【００７６】
次に、多重化装置の主要部品である図８ＡのＴＲＩＢ部品１〜Ｎ（２３１〜２３Ｎ）と多重化復号化部品２４とＬＩＮＥ部品２５の部品情報が、図９の適応構成部品判定部２９で比較判定される（ステップＳ３４）。多重化装置の各主要部品の部品情報が適応部品情報判定の結果、予め設定されていた適応部品情報と一致した場合、ステップＳ３５に遷移する。多重化装置の各主要部品の部品情報が適応部品情報判定の結果、予め設定されていた適応部品情報と一致しなかった場合、ステップＳ３６に遷移する。
【００７７】
本実施形態では、適応部品情報判定の結果が一致した場合、一致しなかった場合に加えて、多重化装置の各主要部品の部品情報が未登録であった場合についても対応している。本実施形態では、適応部品情報判定の結果、多重化装置の各主要部品の部品情報が未登録であった場合には、ステップＳ４１に遷移する。
【００７８】
多重化装置の各主要部品の部品情報が未登録であり、未登録の部品であっても、種別や能力など一定の基準を満たす部品であれば、適応構成情報を変更（ステップ４１）し、改めて適応構成情報を収集する（ステップＳ３３）。適応構成部品判定部２９では、未登録の部品であっても、種別や能力など一定の基準を満たす部品であれば、マイクロプロセッサ２７に対して、適応制御信号が供給される。そして制御端末２６により適応構成情報を変更し、多重化装置の部品として使用することが可能となる。
【００７９】
以下では第１実施形態と同様に、多重化装置の主要部品である図８ＡのＴＲＩＢ部品１〜Ｎ（２３１〜２３Ｎ）と多重化復号化部品２４とＬＩＮＥ部品２５の部品情報が、図９の適応構成部品判定部２９で比較判定される（ステップＳ３４）。多重化装置の各主要部品の部品情報が適応部品情報判定の結果、予め設定されていた適応部品情報と一致した場合、ステップＳ３５に遷移する。多重化装置の各主要部品の部品情報が適応部品情報判定の結果、予め設定されていた適応部品情報と一致しなかった場合、ステップＳ３６に遷移する。
【００８０】
部品の部品情報と適応部品情報が一致した場合、図８Ｂの動作制御部３０により、各部品に対して正常動作制御が実行される（ステップＳ３６）。図８Ｂの動作制御部３０の正常動作制御は、ＴＲＩＢ部品、多重化復号化部品、ＬＩＮＥ部品に対して、光出力制御が有効動作となり、図７の監視装置３３に対して、各部品の光出力制御信号（有効状態）が通知され、各部品の制御信号（有効状態）が通知される。
【００８１】
部品の部品情報と適応部品情報が一致しなかった場合、図８Ｂの警報通知部３１により、図７の監視装置３３に対して、各部品の誤実装警報が通知される（ステップＳ３７）。次に、図８Ｂの動作制御部３０から異常動作制御として、ＴＲＩＢ部品、多重化復号化部品、ＬＩＮＥ部品に対して、光出力制御が無効動作となり、図７の監視装置３３に対して、各部品の光出力制御信号（無効状態）が通知される（ステップＳ３８）。次に、図８Ｂの起動制御部３２により図８Ｂのマイクロプロセッサ２７に対して、多重化装置の起動停止制御が実行され、図７の監視装置３３に対して、各部品の起動信号が通知される（ステップＳ３９）。
【００８２】
（第２実施形態の効果）
以上説明したように本実施形態の多重化装置、及び多重化装置の起動方法では、第１実施形態と同様に、多重化装置の主要部品の部品情報と予め設定しておいた構成情報を可変構成部品判定部で比較判定することにより、柔軟な起動制御が可能となる。これにより、起動時のＴＲＩＢ出力側、ＬＩＮＥ出力側の動作を制御することが可能となるという効果を有する。
【００８３】
さらに本実施形態では、多重化装置の起動制御系２２に適応構成情報部２８と適応構成部品判定部２９とを構成することにより、部品動作条件に基づく構成情報の適応制御(自動変更)を行っている。すなわち、それぞれの部品の種別や能力などの部品情報に基づいて適応構成情報を変更している。適応部品情報判定の結果、多重化装置の各主要部品の部品情報が未登録であった場合でも、種別や能力など一定の基準を満たす部品であれば適応構成情報を変更している。これにより、背景技術では困難であった多重化装置の主要部品の組み合わせによる起動制御を、更に柔軟に対応することが可能となる。未登録部品の追加登録も容易に実現可能という新たな効果を有する。
【００８４】
以上、本発明の好ましい実施形態を説明したが、本発明はこれに限定されるものではない。第１実施形態において、部品動作条件に基づく構成情報の可変制御(自動変更)を行って、それぞれの部品の種別や能力などの部品情報に基づいて可変構成情報を変更するよう、構成することも考えられる。特許請求の範囲に記載した発明の範囲内で、種々の変形が可能であり、それらも本発明の範囲に含まれることはいうまでもない。
【産業上の利用可能性】
【００８５】
本発明は、多重化装置のハードウェア起動方法の用途に適用でき、特にコンピュータシステム全般の用途にも適用できる。
【符号の説明】
【００８６】
１、２１、４１    主信号系
２、２２、４２    起動制御系
３１、３２〜３Ｎ、２３１、２３２〜２３Ｎ    ＴＲＩＢ部品
４、２４    多重化復号化部品
４ａ、２４ａ    多重化処理部
４ｂ、２４ｂ    復号化処理部
５、２５    ＬＩＮＥ部品
６、２６    制御端末
７、２７    マイクロプロセッサ
８    可変構成情報部
９    可変構成部品判定部
１０、３０    動作制御部
１１、３１    警報通知部
１２、３２    起動制御部
１３、３３    監視装置
１５１、１５２〜１５Ｎ、３５１、３５２〜３５Ｎ    ＴＲＩＢ部品判定部
１６、３６    多重化復号化部品判定部
１７、３７    ＬＩＮＥ部品判定部
１８    可変構成部品制御部
２８    適応構成情報部
２９    適応構成部品判定部
３８    適応構成部品制御部
４３    部品
４４    構成部品判定部
【図１】
0006525235.tif 000002
【図２】
0006525235.tif 000003
【図３Ａ】
0006525235.tif 000004
【図３Ｂ】
0006525235.tif 000005
【図４】
0006525235.tif 000006
【図５】
0006525235.tif 000007
【図６】
0006525235.tif 000008
【図７】
0006525235.tif 000009
【図８Ａ】
0006525235.tif 000010
【図８Ｂ】
0006525235.tif 000011
【図９】
0006525235.tif 000012
【図１０】
0006525235.tif 000013
【図１１】
0006525235.tif 000014
【図１２】
0006525235.tif 000015
【図１３】
0006525235.tif 000016
【図１４】
0006525235.tif 000017